(57)【要約】無線通信システムにおいて情報を伝送する方法、デバイス、システムを開示する。無線通信システムにおいて情報を伝送する方法は、ダウンリンクメッセージを受信することであって、ダウンリンクメッセージは、第１の制御チャネル要素を含む、ことと、第１の制御チャネル要素の位置を使用して第１のインデックスを決定することと、第２のインデックスを決定することと、第１のインデックスを使用して第１の直交リソースを決定することと、第２のインデックスを使用して第２の直交リソースを決定することと、第１の拡散信号を形成するために、第１の直交リソースを使用してアップリンクメッセージを拡散することと、第２の拡散信号を形成するために、第２の直交リソースを使用してアップリンクメッセージを拡散することと、第１のアンテナを使用して第１の拡散信号を伝送することと、第２のアンテナを使用して第２の拡散信号伝送することとを含む。
2013502853.tif 000002
【特許請求の範囲】
【請求項１】
無線通信システムにおいて情報を伝送する方法であって、
ダウンリンクメッセージを受信することであって、前記ダウンリンクメッセージは、第１の制御チャネル要素を含む、ことと、
前記第１の制御チャネル要素の位置を使用して第１のインデックスを決定することと、
第２のインデックスを決定することと、
前記第１のインデックスを使用して第１の直交リソースを決定することと、
前記第２のインデックスを使用して第２の直交リソースを決定することと、
第１の拡散信号を形成するために、前記第１の直交リソースを使用してアップリンクメッセージを拡散することと、
第２の拡散信号を形成するために、前記第２の直交リソースを使用して前記アップリンクメッセージを拡散することと、
第１のアンテナを使用して前記第１の拡散信号を伝送することと、
第２のアンテナを使用して前記第２の拡散信号を伝送することと
を含む、方法。
【請求項２】
前記第２のインデックスを決定することは、前記ダウンリンクメッセージの第２の制御チャネル要素の位置を使用する、請求項１に記載の方法。
【請求項３】
前記第２のインデックスを決定することは、別のダウンリンクメッセージから前記第２のインデックスを取得することをさらに含む、請求項１に記載の方法。
【請求項４】
前記第２のインデックスを決定することは、前記第１の制御チャネル要素の位置を使用する、請求項１に記載の方法。
【請求項５】
前記第２のインデックスを決定することは、前記第１のインデックスを使用する、請求項１に記載の方法。
【請求項６】
無線通信システムにおいて情報を伝送する方法であって、
無線デバイスによって基地局からダウンリンクメッセージを受信することと、
前記ダウンリンクメッセージを使用して複数のインデックスを決定することと、
前記複数のインデックスを使用して複数の直交リソースを決定することと、
前記複数の直交リソースをアップリンクメッセージに適用することによって、複数の直交信号を生成することと、
前記無線デバイスから前記基地局に前記複数の直交信号を伝送することと
を含む、方法。
【請求項７】
前記無線デバイスから前記基地局に前記複数の直交信号を伝送することは、前記複数の直交信号を伝送するために、前記無線デバイスの複数のアンテナを使用することをさらに含む、請求項６に記載の方法。
【請求項８】
前記ダウンリンクメッセージを使用して複数のインデックスを決定することは、
複数の制御チャネル要素のうちの第１の制御チャネル要素の位置を使用して前記複数のインデックスのうちの第１のインデックスを決定することであって、前記ダウンリンクメッセージは、前記複数の制御チャネル要素を含む、ことと、
別のダウンリンクメッセージを使用して前記複数のインデックスのうちのその他のインデックスを決定することと
をさらに含む、請求項６に記載の方法。
【請求項９】
前記ダウンリンクメッセージを使用して複数のインデックスを決定することは、
複数の制御チャネル要素のうちの第１の制御チャネル要素の位置を使用して前記複数のインデックスのうちの第１のインデックスを決定することであって、前記ダウンリンクメッセージは、前記複数の制御チャネル要素を含む、ことと、
前記複数の制御チャネル要素のうちの前記第１の制御チャネル要素の位置を使用して前記複数のインデックスのうちのその他のインデックスを決定することと
をさらに含む、請求項６に記載の方法。
【請求項１０】
前記ダウンリンクメッセージを使用して複数のインデックスを決定することは、
複数の制御チャネル要素のうちの第１の制御チャネル要素の位置を使用して前記複数のインデックスのうちの第１のインデックスを決定することであって、前記ダウンリンクメッセージは、前記複数の制御チャネル要素を含む、ことと、
前記複数のインデックスのうちの前記第１のインデックスを使用して前記複数のインデックスのうちのその他のインデックスを決定することと
をさらに含む、請求項６に記載の方法。
【請求項１１】
無線通信システムにおける情報の伝送を構成する方法であって、
単一アンテナ伝送モードを使用して無線デバイスから基地局に第１のアップリンクメッセージを送信することであって、前記第１のアップリンクメッセージは、前記無線デバイスの伝送ダイバーシティモードを構成する要求を含む、ことと、
前記無線デバイスによって前記基地局からダウンリンクメッセージを受信することであって、前記ダウンリンクメッセージは、前記無線デバイスに対する伝送ダイバーシティモードを含む、ことと、
前記伝送ダイバーシティモードを使用して前記無線デバイスから前記基地局に第２のアップリンクメッセージを送信することと
を含む、方法。
【請求項１２】
前記単一アンテナ伝送モードを使用して前記無線デバイスから前記基地局に別のアップリンクメッセージを送信することをさらに含み、前記他のアップリンクメッセージは、前記無線デバイスの伝送アンテナの数を含む、請求項１１に記載の方法。
【請求項１３】
前記第１のアップリンクメッセージは、前記無線デバイスの伝送アンテナの数を含む、請求項１１に記載の方法。
【請求項１４】
前記無線デバイスによって前記基地局から別のダウンリンクメッセージを受信することをさらに含み、前記他のダウンリンクメッセージは、前記基地局による前記第１のアップリンクメッセージの受信の肯定応答を含む、請求項１１に記載の方法。
【請求項１５】
無線通信システムにおけるデバイスであって、
プロセッサ実行可能命令を含むメモリに連結されたプロセッサと、
前記プロセッサに連結された受信機および伝送機と
を備え、
前記受信機は、基地局からダウンリンクメッセージを受信するよう動作可能であり、
前記プロセッサは、
前記ダウンリンクメッセージの第１の制御チャネル要素の位置を使用して第１のインデックスを導出することと、
第２のインデックスを導出することと、
前記第１のインデックスを使用して第１の直交リソースを決定することと、
前記第２のインデックスを使用して第２の直交リソースを決定することと、
前記第１の直交リソースをアップリンクメッセージに適用することによって、第１の直交信号を生成することと、
前記第２の直交リソースを前記アップリンクメッセージに適用することによって、第２の直交信号を生成することと
を行うよう動作可能であり、
前記伝送機は、前記第１および第２の直交信号を前記基地局に伝送するよう動作可能である、
デバイス。
【請求項１６】
前記プロセッサは、前記ダウンリンクメッセージの第２の制御チャネル要素の位置を使用して前記第２のインデックスを導出するようさらに動作可能である、請求項１５に記載のデバイス。
【請求項１７】
前記プロセッサは、前記基地局から送信される別のダウンリンクメッセージを使用して前記第２のインデックスを取得することによって、前記第２のインデックスを導出するようさらに動作可能である、請求項１５に記載のデバイス。
【請求項１８】
前記プロセッサは、前記第１の制御チャネル要素の位置を使用して前記第２のインデックスを導出するようさらに動作可能である、請求項１５に記載のデバイス。
【請求項１９】
前記プロセッサは、前記第１のインデックスを使用して前記第２のインデックスを導出するようさらに動作可能である、請求項１５に記載のデバイス。
【請求項２０】
前記伝送機は、第１のアンテナを使用して前記第１の直交信号を伝送し、第２のアンテナを使用して前記第２の直交信号を伝送するようさらに動作可能である、請求項１５に記載のデバイス。
【請求項２１】
無線通信のシステムであって、
基地局と、
前記基地局に通信可能に連接された無線デバイスと
を備え、
前記無線デバイスは、
前記基地局からダウンリンクメッセージを受信することと、
前記ダウンリンクメッセージの第１の制御チャネル要素を使用して第１のインデックスを導出することと、
第２のインデックスを導出することと、
前記第１のインデックスを使用して第１の直交リソースを決定することと、
前記第２のインデックスを使用して第２の直交リソースを決定することと、
前記第１の直交リソースをアップリンクメッセージに適用することによって、第１の直交信号を生成することと、
前記第２の直交リソースを前記アップリンクメッセージに適用することによって、第２の直交信号を生成することと、
第１のアンテナから前記基地局に前記第１の直交信号を伝送することと、
第２のアンテナから前記基地局に前記第２の直交信号を伝送することと
を行う、
システム。
【請求項２２】
前記ダウンリンクメッセージの制御チャネル要素の数は、前記無線デバイスに割り当てられる直交リソースの数以上である、請求項２１に記載のシステム。
【請求項２３】
前記基地局は、前記無線デバイスに割り当てられる直交リソースの数と一致するように、前記ダウンリンクメッセージの制御チャネル要素の数を変更する、請求項２１に記載のシステム。
【請求項２４】
前記基地局は、前記無線デバイスに割り当てられる直交リソースの数と一致するように、前記ダウンリンクメッセージの予約された制御チャネル要素を割り付ける、請求項２１に記載のシステム。
【請求項２５】
前記無線デバイスは、前記ダウンリンクメッセージの第２の制御チャネル要素を使用して前記第２のインデックスを導出する、請求項２１に記載のシステム。
【請求項２６】
前記無線デバイスは、前記基地局から前記無線デバイスに送信される別のダウンリンクメッセージを使用して前記第２のインデックスを導出する、請求項２１に記載のシステム。
【請求項２７】
前記無線デバイスは、前記基地局によって割り当てられる前記ダウンリンクメッセージの制御チャネル要素の数と一致するように、直交リソースの数を変更する、請求項２１に記載のシステム。
【請求項２８】
前記無線デバイスは、前記基地局によって割り当てられる前記ダウンリンクメッセージの制御チャネル要素の数と一致するように、前記無線デバイスの伝送ダイバーシティモードを変更する、請求項２１に記載のシステム。
【請求項２９】
前記基地局は、前記ダウンリンクメッセージの前記第１の制御チャネル要素から前記ダウンリンクメッセージの第２の制御チャネル要素へのオフセットを前記無線デバイスに割り当て、
前記ダウンリンクメッセージは、物理ダウンリンク制御チャネルメッセージであり、
前記第２の制御チャネル要素の選択は、同じ物理アップリンク制御チャネルリソースブロック内で伝送される物理アップリンク制御チャネルリソースに対応する前記ダウンリンクメッセージのそれらの制御チャネル要素に限定される、
請求項２１に記載のシステム。
【請求項３０】
前記無線デバイスは、前記第１のインデックスを使用して前記第２のインデックスを導出する、請求項２１に記載のシステム。
【発明の詳細な説明】
【技術分野】
【０００１】
（関連出願の引用）
本願は、米国仮出願第６１／２３５，９９７号（２００９年８月２１日出願、名称「ＴＲＡＮＳＭＩＳＳＩＯＮ  ＯＦ  ＣＯＮＴＲＯＬ  ＩＮＦＯＲＭＡＴＩＯＮ  ＩＮ  Ａ  ＷＩＲＥＬＥＳＳ  ＣＯＭＭＵＮＩＣＡＴＩＯＮ  ＳＹＳＴＥＭ」）の利益を主張する。該出願は、その全体が参照により本明細書に引用される。
【０００２】
（技術分野）
本発明は、概して、無線通信システムに関し、より具体的には、無線通信システムにおける情報の伝送に関する。
【背景技術】
【０００３】
無線通信システムは、例えば、広範囲の音声およびデータ関連サービスを提供するように、広く展開されている。典型的な無線通信システムは、ユーザが共通ネットワークリソースを共有することを可能にする、多重アクセス通信ネットワークを含む。そのようなネットワークの実施例は、時分割多重アクセス（「ＴＤＭＡ」）システム、符号分割多重アクセス（「ＣＤＭＡ」）システム、単一搬送周波数分割多重アクセス（「ＳＣ−ＦＤＭＡ」）システム、直交周波数分割多重アクセス（「ＯＦＤＭＡ」）システム、または他の類似システムである。ＯＦＤＭＡシステムは、進化型地上無線アクセス（「Ｅ−ＵＴＲＡ」）、Ｗｉ−Ｆｉ、マイクロ波アクセスのための全世界相互運用性（「ＷｉＭＡＸ」）、ウルトラモバイルブロードバンド（「ＵＭＢ」）、および他の同様のシステム等の、種々の技術規格によってサポートされている。さらに、これらのシステムの実装は、Ｔｈｉｒｄ  ｇｅｎｅｒａｔｉｏｎ  ｐａｒｔｎｅｒｓｈｉｐ  ｐｒｏｊｅｃｔ（「３ＧＰＰ」）および３ＧＰＰ２等の種々の工業規格団体によって開発された仕様によって説明されている。
【０００４】
無線通信システムが進化するにつれて、向上した特徴、機能性、および性能を提供する、より高度なネットワーク機器が導入されている。そのような高度なネットワーク機器はまた、ロングタームエボリューション（「ＬＴＥ」）機器または高度ロングタームエボリューション（「ＬＴＥ−Ａ」）機器と呼ばれ得る。ＬＴＥは、特に高需要の地理的地域で、より高い平均およびピークデータスループット率、より少ない待ち時間、およびより良好なユーザ体験を伴う高速パケットアクセス（「ＨＳＰＡ」）の進化の次の段階である。ＬＴＥは、より広いスペクトル帯域幅、ＯＦＤＭＡおよびＳＣ−ＦＤＭＡエアインターフェース、および高度アンテナ方法の使用により、このより高い性能を達成する。
【０００５】
無線デバイスと基地局との間の通信は、１つだけのアンテナが受信機および伝送機の両方に使用される、単一入力・単一出力システム（「ＳＩＳＯ」）、複数のアンテナが受信機において使用され、１つだけのアンテナが伝送機において使用される、単一入力・多重出力システム（「ＳＩＭＯ」）、および複数のアンテナが受信機および伝送機において使用される、多重入力・多重出力システム（「ＭＩＭＯ」）を使用することによって、確立され得る。ＳＩＳＯシステムと比較して、ＳＩＭＯシステムが増加した受信可能範囲を提供し得る一方で、ＭＩＭＯシステムは、複数の伝送アンテナ、複数の受信アンテナ、または両方が利用される場合に、増加したスペクトル効率およびより高いデータスループットを提供し得る。さらに、アップリンク（「ＵＬ」）通信は、無線デバイスから基地局への通信を指す。ダウンリンク（「ＤＬ」）通信は、基地局から無線デバイスへの通信を指す。
【０００６】
非特許文献１において、単一アンテナの使用は、ＳＣ−ＦＤＭＡを利用するＵＬ伝送に対してサポートされている。非特許文献２において、多数のアンテナは、例えば、伝送ダイバーシティおよび空間多重化の使用によって、ＵＬ性能を向上させるために使用され得る。空間周波数ブロック符号化（「ＳＦＢＣ」）、時空間ブロック符号化（「ＳＴＢＣ」）、周波数交換伝送ダイバーシティ（「ＦＳＴＤ」）、時間交換伝送ダイバーシティ（「ＴＳＴＤ」）、事前符号化ベクトル交換（「ＰＶＳ」）、巡回遅延ダイバーシティ（「ＣＤＤ」）、空間符号伝送ダイバーシティ（「ＳＣＴＤ」）、直交リソース伝送（「ＯＲＴ」）、および他の同様のアプローチ等の、種々の伝送ダイバーシティスキームが使用され得る。
【先行技術文献】
【非特許文献】
【０００７】
【非特許文献１】３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｐｈｙｓｉｃａｌ  Ｃｈａｎｎｅｌｓ  ａｎｄ  Ｍｏｄｕｌａｔｉｏｎ（Ｒｅｌｅａｓｅ  ８），３ＧＰＰ，３ＧＰＰ  ＴＳ  ３６．２１１（「ＬＴＥ  Ｒｅｌｅａｓｅ  ８」）
【非特許文献２】３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｆｕｒｔｈｅｒ  Ａｄｖａｎｃｅｍｅｎｔｓ  Ｆｏｒ  Ｅ−ＵＴＲＡ；Ｐｈｙｓｉｃａｌ  Ｌａｙｅｒ  Ａｓｐｅｃｔｓ（Ｒｅｌｅａｓｅ  ９），３ＧＰＰ，３ＧＰＰ  ＴＲ  ３６．８１４  Ｖ９．０．０（２０１０−０３）（「ＬＴＥ−Ａ  Ｒｅｌｅａｓｅ  １０」）
【発明の概要】
【課題を解決するための手段】
【０００８】
以下は、無線通信システムで使用するための例示的な方法、デバイス、およびシステムを開示するが、本開示の教示は、示された例示的な実施形態に決して限定されないことが、当業者によって理解されるであろう。反対に、本開示の教示は、代替的構成および環境で実装され得ることが想定される。例えば、本明細書で説明される例示的な方法、デバイス、およびシステムは、モバイルネットワークのための３ＧＰＰ機関のＬＴＥアップグレードパスのエアインターフェースである、Ｅ−ＵＴＲＡの構成と関連して説明されるが、当業者であれば、例示的な方法、デバイス、およびシステムは、他の無線通信システムにおいて使用され得、必要に応じて、そのような他のシステムに対応するように構成され得ることを容易に認識するであろう。したがって、以下は、その使用の例示的な方法、デバイス、およびシステムを説明するが、当業者であれば、開示された例示的な実施形態は、そのような方法、デバイス、およびシステムを実施するための唯一の方法ではなく、図面および説明は、制限的ではなく、本質的に例証的と見なされるべきであることを理解するであろう。
【０００９】
本明細書で説明される種々の技法は、種々の無線通信システムに使用することができる。本明細書で説明される種々の側面は、多くの構成要素、デバイス、要素、部材、モジュール、周辺機器、または同等物を含むことができるシステムとして提示される。さらに、これらのシステムは、追加の構成要素、デバイス、要素、部材、モジュール、周辺機器、または同等物を含むことができるか、または含むことができない。加えて、本明細書で説明される種々の側面は、ハードウェア、ファームウェア、ソフトウェア、またはそれらの任意の組み合わせで実装することができる。「ネットワーク」および「システム」という用語は、交換可能に使用できることに留意することが重要である。「上側」および「下側」、「左」および「右」、「第１の」および「第２の」、ならびに同等物等の、本明細書で説明される関係を示す用語は、そのような実体または作用の間の実際のそのような関係または順番を必ずしも要求または暗示することなく、ある実体または作用を別の実体または作用と区別するためだけに使用され得る。「または」という用語は、排他的な「または」よりもむしろ、包括的な「または」を意味することを目的としている。さらに、「１つの」という用語は、特に指定されない限り、または文脈から単数形を対象にすることが明確でない限り、１つ以上を意味することを目的とする。
【００１０】
無線通信ネットワークは、複数の無線デバイスおよび複数の基地局から成る。基地局はまた、ノードＢ（「ＮｏｄｅＢ」）、送受信基地局（「ＢＴＳ」）、アクセスポイント（「ＡＰ」）、または何らかの他の同等の用語と呼ばれ得る。基地局は、典型的に、無線デバイスと通信するように、１つ以上の無線周波数（「ＲＦ」）伝送機および受信機を含む。さらに、基地局は、典型的に、固定され、定置される。ＬＴＥおよびＬＴＥ−Ａ機器では、基地局はまた、Ｅ−ＵＴＲＡＮノードＢ（「ｅＮＢ」）と呼ばれる。
【００１１】
無線通信システムに使用される無線デバイスはまた、移動局（「ＭＳ」）、端末、携帯電話、携帯ハンドセット、携帯情報端末（「ＰＤＡ」）、スマートフォン、手持ち式コンピュータ、デスクトップコンピュータ、ラップトップコンピュータ、タブレットコンピュータ、セットトップボックス、テレビ、無線機器、または何らかの他の同等の用語と呼ばれ得る。無線デバイスはまた、基地局と通信するように、１つ以上のＲＦ伝送機および受信機、ならびに１つ以上のアンテナを含み得る。さらに、無線デバイスは、固定されるか、または移動式であり得、無線通信システムを通して移動する能力を有し得る。ＬＴＥおよびＬＴＥ−Ａ機器では、無線デバイスはまた、ユーザ機器（「ＵＥ」）と呼ばれる。
【図面の簡単な説明】
【００１２】
当業者によって本開示が理解され、実践されるように、添付図を参照することによって例証される、例示的な実施形態を参照する。類似参照番号は、添付図の全体を通して、同一または機能的に同様の要素を指す。図は、発明を実施するための形態とともに組み込まれ、本明細書の一部を形成し、例示的な実施形態をさらに例証し、本開示による種々の原則および利点を説明する働きをする。
【図１】図１は、無線通信システムの実施例を図示する。
【図２】図２は、本明細書で説明される種々の側面による、制御チャネル構造を使用する無線通信システムの一実施形態のブロック図である。
【図３】図３は、無線通信システムで利用することができる例示的なアップリンクチャネル構造を図示する。
【図４】図４は、情報の伝送を促進する例示的なシステムのブロック図である。
【図５】図５は、伝送ダイバーシティを使用して情報の伝送を促進する例示的なシステムのブロック図である。
【図６】図６は、情報の伝送を促進する別の例示的なシステムのブロック図である。
【図７】図７は、本明細書で説明される種々の側面による、伝送ダイバーシティスキームを使用する無線伝送システムの一実施形態のブロック図である。
【図８】図８は、本明細書で説明される種々の側面による、無線通信システムにおいて伝送ダイバーシティを実施するのに使用される直交リソースマッピング方法の多数の実施形態を図示する。
【図９】図９は、本明細書で説明される種々の側面による、無線通信システムにおいて伝送ダイバーシティを実施するのに使用される直交リソースマッピング方法の別の実施形態を図示する。
【図１０】図１０は、本明細書で説明される種々の側面による、無線通信システムにおいて伝送ダイバーシティを実施するのに使用される直交リソースマッピング方法の別の実施形態を図示する。
【図１１】図１１は、本明細書で説明される種々の側面による、無線通信システムにおいて伝送ダイバーシティを実施するのに使用される直交リソースマッピング方法の別の実施形態を図示する。
【図１２】図１２は、本明細書で説明される種々の側面による、無線通信システムにおいて伝送ダイバーシティを実施するために、予約された制御チャネル要素（「ＣＣＥ」）を使用する直交リソースマッピング方法の一実施形態を図示する。
【図１３】図１３は、本明細書で説明される種々の側面による、無線通信システムにおいて伝送ダイバーシティを実施するのに使用される直交リソースマッピング方法の別の実施形態を図示する。
【図１４】図１４は、本明細書で説明される種々の側面による、無線通信システムにおいて伝送ダイバーシティを実施するのに使用される直交および準直交リソースマッピング方法の別の実施形態を図示する。
【図１５】図１５は、本明細書で説明される種々の側面による、無線通信システムにおいて伝送ダイバーシティに対して無線デバイスを構成する方法の一実施形態を図示する。
【図１６】図１６は、本明細書で説明される種々の側面による、無線通信システムにおいて伝送ダイバーシティを実施するのに使用される直交リソースマッピング方法の別の実施形態を図示する。
【図１７】図１７は、本明細書で説明される種々の側面による、無線通信システムにおいて伝送ダイバーシティを実施するのに使用される直交リソースマッピング方法の別の実施形態を図示する。
【００１３】
当業者であれば、添付図中の要素は、明確かつ簡単にするため、さらに、例示的な実施形態の理解を向上させるように図示され、必ずしも一定の縮尺で描かれていないことを理解するであろう。
【発明を実施するための形態】
【００１４】
図１は、無線通信のためのシステム１００のブロック図である。図１において、システム１００は、１つ以上の基地局１０２と通信可能に連接される１つ以上の無線デバイス１０１を含むことができる。無線デバイス１０１は、本明細書で説明される種々の側面を実装するように無線デバイス１０１によって利用することができる、メモリ１０４、入力／出力デバイス１０５、送受信機１０６、またはそれらの任意の組み合わせに連結される、プロセッサ１０３を含むことができる。無線デバイス１０１の送受信機１０６は、１つ以上の伝送機１０７および１つ以上の受信機１０８を含むことができる。さらに、無線デバイス１０１と関連付けられ、１つ以上のアンテナ１０９に、１つ以上の伝送機１０７および１つ以上の受信機１０８を接続することができる。
【００１５】
同様に、基地局１０２は、本明細書で説明される種々の側面を実装するように基地局１０２によって利用することができる、メモリ１２２および送受信機１２３に連結される、プロセッサ１２１を含むことができる。基地局１０２の送受信機１２３は、１つ以上の伝送機１２４および１つ以上の受信機１２５を含むことができる。さらに、基地局１０２と関連付けられ、１つ以上のアンテナ１２８に、１つ以上の伝送機１２４および１つ以上の受信機１２５を接続することができる。
【００１６】
基地局１０２は、それぞれ無線デバイス１０１および基地局１０２と関連付けられる、１つ以上のアンテナ１０９および１２８を使用してＵＬ上で、ならびに１つ以上のアンテナ１０９および１２８を使用してＤＬ上で、無線デバイス１０１と通信することができる。基地局１０２は、１つ以上の伝送機１２４および１つ以上のアンテナ１２８を使用してＤＬ情報を発信することができ、それを、１つ以上のアンテナ１０９を使用して、１つ以上の受信機１０８によって無線デバイス１０１で受信することができる。そのような情報は、基地局１０２と無線デバイス１０１との間の１つ以上の通信リンクに関連することができる。ＤＬ上で無線デバイス１０１によって情報が受信されると、無線デバイス１０１は、受信された情報に関連する応答を生成するように、受信された情報を処理することができる。そのような応答は、１つ以上の伝送機１０７および１つ以上のアンテナ１０９を使用して、ＵＬ上で無線デバイス１０１から返送され、１つ以上のアンテナ１２８および１つ以上の受信機１２５を使用して、基地局１０２で受信することができる。
【００１７】
一側面によると、制御情報の無線通信は、図２に図示したようなシステム２００等の無線通信システムを使用して行うことができる。一実施形態において、システム２００は、ＬＴＥもしくはＬＴＥ−Ａ機器または別の適切な無線通信技術を使用するシステムで利用することができる制御信号伝達構造を図示する。システム２００は、基地局２０２に通信可能に連接される無線デバイス２０１を含むことができる。無線デバイス２０１は、メモリ２０４、入力／出力デバイス２０５、送受信機２０６、および制御情報プロセッサ２０９に連結される、プロセッサ２０３を含むことができる。無線デバイス２０１の送受信機２０６は、１つ以上の伝送機２０７および１つ以上の受信機２０８を含むことができる。無線デバイス２０１の伝送機２０７および受信機２０８は両方とも、アンテナ２１２に連結することができる。基地局２０２は、メモリ２２２、送受信機２２３、および制御情報プロセッサ２２６に連結される、プロセッサ２２１を含むことができる。基地局２０２の送受信機２２３は、１つ以上の受信機２２４および１つ以上の伝送機２２５を含むことができる。基地局２０２の伝送機２２５および受信機２２４は両方とも、アンテナ２２８に連結することができる。
【００１８】
図２に示すように、ＵＬ制御信号伝達は、例えば、物理アップリンク制御チャネル（「ＰＵＣＣＨ」）２３０または物理アップリンク共有チャネル（「ＰＵＳＣＨ」）２３１上で搬送することができる。ＵＬデータは、例えば、物理ダウンリンク制御チャネル（「ＰＤＣＣＨ」）２３２上で搬送することができ、ＤＬデータは、例えば、物理ダウンリンク共有チャネル（「ＰＤＳＣＨ」）２３３上で搬送することができる。
【００１９】
一実施形態において、基地局２０２の制御情報プロセッサ２２６は、データ、制御情報、または無線デバイス２０１を対象とする他の情報を生成、あるいは取得することができる。次いで、ＰＤＣＣＨ２３２上で制御情報を発信することができ、基地局２０２の伝送機２２５およびアンテナ２２８を使用してＰＤＳＣＨ上でデータを伝送することができ、それを、アンテナ２１２および受信機２０８が無線デバイス２０１で受信することができる。ＤＬ上で無線デバイス２０１によって情報が受信されると、無線デバイス２０１の制御情報プロセッサ２０９は、受信された情報に関連する応答を生成するように、受信された情報を処理することができる。
【００２０】
次いで、例えば、そのような応答を、ＰＵＣＣＨ２３０上、または、ＰＵＳＣＨリソースが割り付けられる場合にはＰＵＳＣＨ２３１上で基地局２０２に返送することができる。そのような応答は、無線デバイス２０１の伝送機２０７およびアンテナ２１２を使用して伝送し、受信機２２４およびアンテナ２２８を使用して基地局２０２で受信することができる。ＵＬ上で基地局２０２によって情報が受信されると、基地局２０２の制御情報プロセッサ２２６は、受信された情報に関連する応答を生成するように、受信された情報を処理し、ＤＬ上の任意の生成された制御情報の無線デバイス２０１への伝送を促進することができる。
【００２１】
別の実施形態において、無線デバイス２０１の制御情報プロセッサ２０９は、正しく受信されたデータに対する肯定応答（「ＡＣＫ」）、誤って受信されたデータに対する否定応答（「ＮＡＫ」）もしくはその両方；チャネル品質表示、事前符号化行列インデックス（「ＰＭＩ」）、もしくはランク指標（「ＲＩ」）等のチャネル品質情報（「ＣＱＩ」）；または他の何らかの情報を含むＵＬ制御情報を生成することができる。ＰＵＣＣＨ形式１ａ／１ｂを使用してＡＣＫ／ＮＡＫを伝送することができ、ＰＵＣＣＨ形式２／２ａ／２ｂを使用してＣＱＩを伝送することができる。ＰＵＣＣＨ形式１は、スケジューリング要求のために無線デバイス２０１によって使用することができる。ＰＵＣＣＨ形式１／１ａ／１ｂは、永続的および動的ＡＣＫ／ＮＡＫと同じ構造を共有することができる。ＰＵＣＣＨ形式２／２ａ／２ｂは、ＣＱＩに対して、および、ＣＱＩとＡＣＫ／ＮＡＫとの同時伝送に対して使用することができる。
【００２２】
無線通信システムにおける制御情報の通信は、図３に図示したような例示的な構造３００を使用することができる。図３において、構造３００は、ＬＴＥもしくはＬＴＥ−Ａ機器または別の適切な無線通信技術を使用するシステムで利用することができるＵＬ制御チャネル構造を図示する。構造３００において、１つのフレーム３０１は、各０．５ミリ秒の持続時間の２０個のスロット３０３を含むことができ、１つのサブフレーム３０２は、２つのスロット３０３を含むことができる。各スロット３０３は、使用される巡回プレフィックスの種類に応じて、時間領域内に６つまたは７つのＳＣ−ＦＤＭＡ記号を保有することができ、各リソースブロック（「ＲＢ」）において周波数領域内に１２個の副搬送波を含み得る。例示において、通常の巡回プレフィックスが使用されており、したがって、各ＲＢにおいて７つのＳＣ−ＦＤＭＡ記号が伝送される。請求される主題がこの特定のチャネル構造に限定されないことを認識することが重要である。
【００２３】
図３を参照すると、例示的ないくつかのＲＢ３０５が示されている。ＲＢ３０５は、無線デバイスに割り当てられる時間周波数割付であり、かつ基地局によるリソース割付の最小単位として定義することができることを、当業者は理解するであろう。さらに、ＲＢ３０５は、複数のスロット３０３にわたっ得る。ＬＴＥ  ＵＬは、例えば、最小６つのＲＢ３０５から最大１００個のＲＢ３０５に及ぶ、任意の数のアップリンクＲＢ３０５を可能にする、非常に高い柔軟度を可能にし得る。ＲＢ３０５は、複数のリソース要素（「ＲＥ」）３０４から成ることができ、リソース要素３０４は、１つの記号の期間に対して、周波数において単一の副搬送波を表すことができる。
【００２４】
図４は、無線通信システムにおける制御情報の伝送を促進する例示的なシステム４００のブロック図である。システム４００において、メッセージを変調器４０１に入力することができる。変調器４０１は、例えば、四位相偏移キーイング（「ＱＰＳＫ」）変調、二位相偏移キーイング（「ＢＰＳＫ」）、または他の何からの変調の形を適用し得る。次いで、変調された記号は、拡散論理４０２に入力される。インデックスも、拡散論理４０２に入力され、第１の拡散系列４０６ａおよび第２の拡散系列４０６ｂから成る直交リソース４０５を選択するのに使用される。拡散論理４０２は、第１の拡散系列４０６ａおよび第２の拡散系列４０６ｂを変調された記号に適用する。そのような２つの一次元（「１−Ｄ」）拡散系列はまた、計算または生成され、そしてそれぞれがインデックスに対応する二次元（「２−Ｄ」）拡散系列として、一時的または永久的メモリに記憶され得る。そのような２−Ｄ拡散系列は、拡散操作を実施するように、変調された記号に適用され得る。一実施例において、拡散系列のうちの一方は、Ｚａｄｏｆｆ−Ｃｈｕ系列であることができ、その一方で、他方の拡散系列は、直交カバー系列であることができる。拡散後の変調された記号は、アンテナ４０４を使用して、例えば基地局へ伝送するために伝送機４０３に入力される。
【００２５】
空間符号化伝送ダイバーシティ（「ＳＣＴＤ」）とも呼ばれ、一般原理が、３ＧＰＰ  ｄｏｃｕｍｅｎｔ  Ｒ１−０９１９２５，Ｅｖａｌｕａｔｉｏｎ  ｏｆ  ｔｒａｎｓｍｉｔ  ｄｉｖｅｒｓｉｔｙ  ｆｏｒ  ＰＵＣＣＨ  ｉｎ  ＬＴＥ−Ａ，Ｎｏｒｔｅｌ，３ＧＰＰ  ＴＳＧ−ＲＡＮ  ＷＧ１  ＃５７，Ｓａｎ  Ｆｒａｎｃｉｓｃｏ，ＵＳ，Ｍａｙ  ４−８，２００９に記載されている、空間直交伝送ダイバーシティ（「ＳＯＲＴＤ」）が、伝送ダイバーシティシステムが複数のアンテナを使用する場合に、低いピーク対平均電力比（「ＰＡＰＲ」）を維持しながら、通信性能を向上させるために、変調されたメッセージに適用され得る。ＳＣ−ＦＤＭＡ伝送の低いＰＡＰＲを維持する必要性を当業者は理解するであろう。情報の無線伝送は、図５に図示したような例示的なシステム５００等の伝送ダイバーシティスキームを使用して行うことができる。図５において、システム５００は、無線通信システムに利用することができるＳＯＲＴＤスキームを説明する。
【００２６】
図５を参照すると、メッセージは、変調器５０１に入力される。変調器５０１は、例えば、四位相偏移キーイング（「ＱＰＳＫ」）変調、二位相偏移キーイング（「ＢＰＳＫ」）、または他の何からの変調の形を適用し得る。変調された記号を拡散論理５０２ａおよび５０２ｂに入力することができる。拡散論理５０２ａおよび５０２ｂの両方において、各変調された記号を拡散することができる。第１のインデックスおよび第２のインデックスを、直交リソース５０５ａおよび５０５ｂを選択するために、それぞれ、拡散論理５０２ａおよび５０２ｂに入力することができる。第１の直交リソース５０５ａは、第１の拡散系列５０６ａおよび第２の拡散系列５０６ｂから成るか、または第２の拡散系列５０６ｂと組み合わされた第１の拡散系列５０６ａを含む、事前計算もしくは同時生成された組み合わされた拡散系列から成る。第２の直交リソース５０５ｂは、第３の拡散系列５０６ｃおよび第４の拡散系列５０６ｄから成るか、または第４の拡散系列５０６ｄと組み合わされた第３の拡散系列５０６ｃを含む、事前計算もしくは同時生成された組み合わされた拡散系列から成る。
【００２７】
図５において、拡散論理５０２ａは、第１の拡散系列５０６ａおよび第２の拡散系列５０６ｂを変調された記号に適用することができるか、または第２の拡散系列５０６ｂと組み合わされた第１の拡散系列５０６ａを含む、事前計算もしくは同時生成された組み合わされた拡散系列を適用することができる。同時に、拡散論理５０２ｂは、第３の拡散系列５０６ｃおよび第４の拡散系列５０６ｄを変調された記号に適用することができるか、または第４の拡散系列５０６ｄと組み合わされた第３の拡散系列５０６ｃを含む、事前計算もしくは同時生成された組み合わされた拡散系列を適用することができる。拡散後の変調された記号を、伝送機５０３ａおよび５０３ｂに入力し、それぞれアンテナ５０４ａおよび５０４ｂを介して伝送することができる。アンテナ５０４ａおよび５０４ｂから伝送される信号は、空中で互いに重ねることができる。基地局は、アンテナおよび受信機を使用して、伝送されたメッセージを受信することができる。基地局は、各アンテナ５０４ａおよび５０４ｂから伝送される変調されたメッセージに適用される直交リソース５０５ａおよび５０５ｂを事前に知ることができるので、基地局は、同じ直交リソース５０５ａおよび５０５ｂを使用することによって、各変調されたメッセージを分離することができる。
【００２８】
１つ以上のＣＣＥの集合上でＰＤＣＣＨを伝送することができる。制御チャネル要素として使用される場合、ＣＣＥは、ＰＤＣＣＨ等のダウンリンクメッセージを搬送するための最小単位である。基地局と無線デバイスとの間の無線通信の品質に対応する符号化率をＰＤＣＣＨに提供するために、１つ以上のＣＣＥを使用してＰＤＣＣＨを割り当てることができる。例えば、制御情報のペイロードサイズ、符号化率、およびＣＣＥの割り当てられた数に従って、ＰＤＣＣＨの形式を決定することができる。複数のＰＤＣＣＨは、第１の１つまたはいくつかのＯＦＤＭ記号を通常占有する、特定の制御領域内の単一サブフレームにおいて伝送され得る。無線デバイスは、あらゆるサブフレームの制御領域を監視することができ、例えば、指定のまたは所定の探索空間内のＣＣＥをブラインド復号することによって、その対応するＰＤＣＣＨを発見することを試みることができる。ＬＴＥ  Ｒｅｌｅａｓｅ  ８において、アップリンクＡＣＫ／ＮＡＫメッセージを拡散するための直交リソースのインデックスは、対応するＰＤＳＣＨが予定されているＰＤＣＣＨ内の第１のＣＣＥから導出することができる。そのようなインデックスは、例えば、対応するＣＣＥの位置を使用して導出することができる。
【００２９】
制御情報の無線伝送は、図６に図示したような例示的なシステム６００等の伝送ダイバーシティスキームを使用して行うことができる。図６において、システム６００は、ＬＴＥもしくはＬＴＥ−Ａ機器または別の適切な無線通信技術を使用する無線通信システムで利用することができるＳＯＲＴＤスキームを図示する。
【００３０】
図６を参照すると、無線デバイスは、ＰＵＣＣＨ形式１ａ／１ｂメッセージ上のＡＣＫ／ＮＡＫ等、ＵＬ上でメッセージを伝送することができる。形式１／１ａ／１ｂのＰＵＣＣＨ、形式２／２ａ／２ｂのＰＵＣＣＨ、およびＰＵＳＣＨ等の異なるＵＬ物理チャネルは、向上した性能を達成するように、各ＵＬ物理チャネル伝送に異なる伝送ダイバーシティスキームを使用するよう求め得る様々な変調技法を使用することを認識することが重要である。図６において、ＡＣＫ／ＮＡＫ等のメッセージを変調器６０１に入力することができる。変調器６０１は、例えば、四位相偏移キーイング（「ＱＰＳＫ」）変調、二位相偏移キーイング（「ＢＰＳＫ」）、または他の何からの変調の形を適用し得る。変調された記号を拡散論理６０２に入力することができる。メッセージを拡散するための直交リソース６０５を選択するためのインデックス６０９は、対応するＰＤＳＣＨが予定されているＰＤＣＣＨ６０７の第１のＣＣＥ６０８のインデックスを使用して導出することができる。インデックス６０９は、拡散論理６０２に入力することができ、第１の拡散系列６０６ａおよび第２の拡散系列６０６ｂから成ることができる直交リソース６０５を選択するのに使用することができる。拡散論理６０２は、第１の拡散系列６０６ａおよび第２の拡散系列６０６ｂを変調された記号に適用することができる。拡散後の変調された記号を伝送機６０３に入力することができる。伝送機６０３は、アンテナ６０４を使用して基地局へ伝送するために、拡散後の変調された記号をＲＢ内に置くことができる。一実施例において、スケジューリング要求に使用されるＰＵＣＣＨ形式１メッセージは、変調器６０１を迂回し、拡散論理６０２に入力され、かつアンテナ６０４を使用したＵＬ伝送のために伝送機６０３に入力され得る。
【００３１】
ＬＴＥ−Ａ  Ｒｅｌｅａｓｅ１０は、ＵＬ上で多数の伝送アンテナをサポートし得る。ＬＴＥ−Ａ機器に対するＳＯＲＴＤ等の伝送ダイバーシティをサポートすることは、多数の直交リソースを必要とし得る。一側面によると、制御情報の無線伝送は、図７に図示したようなシステム７００等の伝送ダイバーシティスキームを使用して行うことができる。この実施形態において、システム７００は、ＬＴＥもしくはＬＴＥ−Ａ機器または別の適切な無線通信技術を使用するシステムで利用することができるＳＯＲＴＤスキームを図示する。ＳＯＲＴＤは、低いＰＡＰＲを維持しながら、通信性能を向上させるために、例えば、変調されたＰＵＣＣＨ形式１／１ａ／１ｂメッセージに適用され得る。システム７００において、各伝送アンテナ上の直交リソース拡散は、ＰＤＣＣＨ内のＣＣＥのもののインデックスを、ＰＵＣＣＨ  ＡＣＫ／ＮＡＫ伝送に使用される直交リソースにマップすることによって達成される。
【００３２】
図７を参照すると、ＰＵＣＣＨ形式１／１ａ／１ｂメッセージ等のメッセージを変調器７０１に入力することができる。変調器７０１は、例えば、四位相偏移キーイング「ＱＰＳＫ」）変調、二位相偏移キーイング（「ＢＰＳＫ」）、または他の何からの変調の形を適用することができる。変調された記号を拡散論理７０２ａおよび７０２ｂに入力することができる。メッセージを拡散するための直交リソース７０５ａを選択するための第１のインデックス７１０ａは、対応するＰＤＳＣＨが予定されているＰＤＣＣＨ７０７の第１のＣＣＥ７０８のインデックスを使用して導出することができる。メッセージを拡散するための直交リソース７０５ｂを選択するための第２のインデックス７１０は、ＰＤＣＣＨ７０７の第２のＣＣＥ７０９のインデックスを選択し、使用することによって導出することができる。それぞれ第１の直交リソース７０５ａおよび第２の直交リソース７０５ｂを選択するために、第１のインデックス７１０ａおよび第２のインデックス７１０ｂを拡散論理７０２ａおよび７０２ｂに入力することができる。第１の直交リソース７０５ａは、第１の拡散系列７０６ａおよび第２の拡散系列７０６ｂから、または第１の拡散系列７０６ａおよび第２の拡散系列７０６ｂを含む、第１の事前計算もしくは同時生成され組み合わされた系列から成ることができる。第２の直交リソース７０５ｂは、第３の拡散系列７０６ｃおよび第４の拡散系列７０６ｄから、または第３の拡散系列７０６ｃおよび第４の拡散系列７０６ｄを含む、第２の事前計算もしくは同時生成され組み合わされた系列から成ることができる。拡散論理７０２ａは、第１の拡散系列７０６ａおよび第２の拡散系列７０６ｂを変調された記号に適用することができるか、または第１の拡散系列７０６ａおよび第２の拡散系列７０６ｂを含む、第１の事前計算もしくは同時生成され組み合わされた系列を適用することができる。同時に、拡散論理７０２ｂは、第３の拡散系列７０６ｃおよび第４の拡散系列７０６ｄを変調された記号に適用することができるか、または第３の拡散系列７０６ｃおよび第４の拡散系列７０６ｄを含む、第２の事前計算もしくは同時生成され組み合わされた系列を適用することができる。拡散後の変調された記号を、伝送機７０３ａおよび７０３ｂに入力することができ、それぞれアンテナ７０４ａおよび７０４ｂを使用して伝送することができる。
【００３３】
ＰＤＣＣＨ内に複数のＣＣＥがあり、かつ必要とされる直交リソースの数よりも多いＣＣＥがある場合、各ＣＣＥのインデックスは、ＰＵＣＣＨ  ＡＣＫ／ＮＡＫを拡散するために使用される直交リソースのインデックスとして使用することができる。一側面によると、無線通信システムにおける伝送ダイバーシティの直交リソースのマッピングは、図８に図示したような方法８００ａ、８００ｂ、８００ｃおよび８００ｄ等の、種々のマッピング方法を使用して行うことができる。これらの実施形態において、方法８００ａ、８００ｂ、８００ｃおよび８００ｄは、ＬＴＥもしくはＬＴＥ−Ａ機器または別の適切な無線通信技術を使用するシステムで利用することができる直交リソースへの、選択されたＣＣＥのインデックスのマッピングを図示する。方法８００ａ、８００ｂ、８００ｃ、８００ｄ等は、無線デバイスおよび基地局の両方によって事前に知られている場合、そのような方法を実装するために、無線デバイスと基地局との間にさらなる通信を必要としない場合がある。代替的に、無線デバイスおよび基地局は、方法８００ａ、８００ｂ、８００ｃ、８００ｄ等の１つ以上のマッピング方法を選択するように、通信をやりとりし得る。
【００３４】
図８を参照すると、方法８００ａは、ＰＤＣＣＨ上の複数のＣＣＥを示す。基地局は、リソース８０２ａを無線デバイスに割り当てることができる。ＰＤＣＣＨリソース８０２ａは、複数のＣＣＥを含むことができる。無線デバイスは、ＰＤＣＣＨリソース８０２ａの第１のＣＣＥ８０８ａの位置を決定することができる。第１のＣＣＥ８０８ａの位置は、ＰＤＣＣＨリソース８０２ａに含まれる複数のＣＣＥのうちの１つであることができる。無線デバイスは、第１のＣＣＥ８０８ａの位置を決定するために、例えば、ブラインド検出を使用し得る。第２のＣＣＥ８０９ａは、論理的に第１のＣＣＥ８０８ａに隣接し、かつ連続するＣＣＥとして選択することができる。第１のインデックス８１０ａおよび第２のインデックス８１１ａは、第１のＣＣＥ８０８ａおよび第２のＣＣＥ８０９ａのインデックスから導出することができ、それぞれメッセージの直交拡散に用いられる、拡散論理７０２ａの第１の直交リソース７０５ａおよび拡散論理７０２ｂの第２の直交リソース７０５ｂを選択するのに使用することができる。
【００３５】
図８を参照すると、方法８００ｂは、ＰＤＣＣＨ上の複数のＣＣＥを示す。基地局は、ＰＤＣＣＨリソース８０２ｂを無線デバイスに割り当てることができる。ＰＤＣＣＨリソース８０２ｂは、複数のＣＣＥを含むことができる。無線デバイスは、ＰＤＣＣＨリソース８０２ｂの第１のＣＣＥ８０８ｂの位置を決定することができる。第１のＣＣＥ８０８ｂの位置は、ＰＤＣＣＨリソース８０２ｂに含まれる複数のＣＣＥのうちの１つであることができる。無線デバイスは、第１のＣＣＥ８０８ｂの位置を決定するために、例えば、ブラインド検出を使用し得る。第２のＣＣＥ８０９ｂは、第１のＣＣＥ８０８ｂからの固定スパンとして選択することができる。例えば、方法８００ｂは、第１のＣＣＥ８０８ｂからの２つのＣＣＥの固定スパンとしての第２のＣＣＥ８０９ｂを示す。第１のインデックス８１０ｂおよび第２のインデックス８１１ｂは、第１のＣＣＥ８０８ｂおよび第２のＣＣＥ８０９ｂのインデックスから導出することができ、それぞれメッセージを直交に拡散するのに用いられる、拡散論理７０２ａの第１の直交リソース７０５ａおよび拡散論理７０２ｂの第２の直交リソース７０５ｂを選択するのに使用することができる。
【００３６】
図８を参照すると、方法８００ｃは、ＰＤＣＣＨ上の複数のＣＣＥを示す。基地局は、ＰＤＣＣＨリソース８０２ｃを無線デバイスに割り当てることができる。ＰＤＣＣＨリソース８０２ｃは、複数のＣＣＥを含むことができる。無線デバイスは、ＰＤＣＣＨリソース８０２ｃの第１のＣＣＥ８０８ｃの位置を決定することができる。第１のＣＣＥ８０８ｃの位置は、ＰＤＣＣＨリソース８０２ｃに含まれる複数のＣＣＥのうちの１つであることができる。無線デバイスは、第１のＣＣＥ８０８ｃの位置を決定するために、例えば、ブラインド検出を使用し得る。第２のＣＣＥ８０９ｃは、第１のＣＣＥ８０８ｃに対して、ＰＤＣＣＨリソース８０２ｃ内の最後のＣＣＥとして選択することができる。例えば、方法８００ｃは、ＰＤＣＣＨリソース８０２ｃの第１のＣＣＥとしての第１のＣＣＥ８０８ｃおよびＰＤＣＣＨリソース８０２ｃの最後のＣＣＥとしての第２のＣＣＥ８０９ｃを示す。第１のインデックス８１０ｃおよび第２のインデックス８１１ｃは、第１のＣＣＥ８０８ｃおよび第２のＣＣＥ８０９ｃのインデックスから導出することができ、それぞれメッセージの直交拡散に用いられる、拡散論理７０２ａの第１の直交リソース７０５ａおよび拡散論理７０２ｂの第２の直交リソース７０５ｂを選択するのに使用することができる。
【００３７】
図８を参照すると、方法８００ｄは、ＰＤＣＣＨ上の複数のＣＣＥを示す。基地局は、ＰＤＣＣＨリソース８０２ｄを無線デバイスに割り当てることができる。ＰＤＣＣＨリソース８０２ｄは、複数のＣＣＥを含むことができる。無線デバイスは、ＰＤＣＣＨリソース８０２ｄの第１のＣＣＥ８０８ｄの位置を決定することができる。第１のＣＣＥ８０８ｄの位置は、ＰＤＣＣＨリソース８０２ｄに含まれる複数のＣＣＥのうちの１つであることができる。無線デバイスは、第１のＣＣＥ８０８ｄの位置を決定するために、例えば、ブラインド検出を使用し得る。第２のＣＣＥ８０９ｄの選択は、
【００３８】
【化１】
2013502853.tif 000003
によって制限され、かつそれを満たさなければならず、ｍは、第２のまたは次に続くＣＣＥ８０９ｄのインデックスであり、Ｍは、ＰＤＣＣＨリソース８０２ｄ内のＣＣＥの数であり、Ｎは、必要とされる直交リソースの数である。一実施形態において、必要とされる直交リソースの数は、無線デバイスのアンテナの数に対応する。ｍ＝０では、インデックスは、ＰＤＣＣＨ探索空間全体の特定のＣＣＥに対応するか、または考慮中のＰＤＣＣＨの第１のＣＣＥに対応する。例えば、Ｍ＝８およびＮ＝２では、第２のＣＣＥ８０９ｄは、ｍ＝４、ＰＤＣＣＨリソース８０２ｄの第１のＣＣＥ８０８ｄに対する、ＰＤＣＣＨリソース８０２ｄの第４のＣＣＥとして選択されるであろう。第１のインデックス８１０ｄおよび第２のインデックス８１１ｄは、第１のＣＣＥ８０８ｄおよび第２のＣＣＥ８０９ｄから導出することができ、それぞれメッセージの直交拡散に用いられる、拡散論理７０２ａの第１の直交リソース７０５ａおよび拡散論理７０２ｂの第２の直交リソース７０５ｂを選択するのに使用することができる。
【００３９】
ＰＵＣＣＨの所与のＲＢ内にある直交リソースを優先するか、またはそれのみを使用することもまた所望され得る。一側面によると、無線通信システムにおける伝送ダイバーシティの直交リソースのマッピングは、図９に図示したような方法９００等の種々のマッピング工程を使用してさらに制限され得る。この実施形態において、方法９００は、ＬＴＥもしくはＬＴＥ−Ａ機器または別の適切な無線通信技術を使用するシステムで利用することができるＰＵＣＣＨの特定のＲＢ内にある直交リソースに、選択されたＣＣＥのインデックスのマッピングを限定することを図示する。
【００４０】
図９を参照すると、方法９００は、ＰＵＣＣＨラップアラウンド方法を示し、ＰＵＣＣＨリソースインデックスは、以下を使用してラップアラウンドされる。
【００４１】
【化２】
2013502853.tif 000004
ｍは、ＰＵＣＣＨリソースインデックスであり、Ｎｒは、ＰＵＣＣＨ  ＲＢあたりの直交リソースの数である。例えば、方法９００は、ＰＵＣＣＨ  ＲＢ９０１の最後の要素としての第１のＰＵＣＣＨ直交リソース９０８を示す。もしＰＵＣＣＨ  ＲＢ９０８の次に続く要素が、第２のＰＵＣＣＨ直交リソースとして選択されるのであれば、第２のＰＵＣＣＨ直交リソースは、異なるＰＵＣＣＨ  ＲＢと関連付けられるであろう。代わりに、ＰＵＣＣＨリソースインデックスは、ＰＵＣＣＨ  ＲＢ９０１の始めに配置され、第２のＰＵＣＣＨ直交リソース９１１は、ＰＵＣＣＨ  ＲＢ９０１の第１の要素として選択される。
【００４２】
別の実施形態において、第２のＣＣＥの選択は、以下によって制限され、かつ以下を満たし得る。
【００４３】
開始ＣＣＥインデックス＋（オフセットｉ）ｍｏｄ（Ｎｘ），
オフセットｉは、第１のＣＣＥからのＣＣＥオフセットであり、Ｎｘは、その導出されるＰＵＣＣＨリソースが、第１のＣＣＥから導出されるものと同じＲＢ内にあるＣＣＥの数であり、それは、例えば、方法８００ａ、８００ｂ、８００ｃまたは８００ｄを使用してｉ番目のＰＵＣＣＨリソースを導出するのに使用される。
【００４４】
図１０を参照すると、方法１０００は、ＰＤＣＣＨリソース１００２を含む６つのＣＣＥを示す。一実施例において、第１および第６のＣＣＥは、２つのインデックスを使用して、２つのＰＵＣＣＨリソースを導出するのに使用され得る。ＰＤＣＣＨリソース１００２の最初の３つのＣＣＥからの導出されたＰＵＣＣＨリソースが、ＰＵＣＣＨ  ＲＢ１０２０に対応し、一方、最後の３つのＣＣＥからの導出されたＰＵＣＣＨリソースが、別のＰＵＣＣＨ  ＲＢに対応する場合、第３のＣＣＥ１０１２は、第２のインデックス１０１１を導出するのに使用され得る。このように、方法１０００は、同じＰＵＣＣＨ  ＲＢからのＰＵＣＣＨリソースの使用を可能にすることができる。
【００４５】
ラップアラウンドされたＣＣＥが異なる無線デバイスによって使用されており、その結果、２つの無線デバイスが同じＣＣＥ上で伝送する場合、衝突が発生する場合がある。そのような状況において、例えば、衝突を回避するために、無線デバイスは、次の利用可能なＣＣＥを使用し得る。そのような状況は、異なるＰＵＣＣＨ  ＲＢに対応するＰＵＣＣＨリソースに、ＰＤＣＣＨのＣＣＥをマップする時に発生し得る。別の実施形態において、別の選択肢は、図１１に図示したような、方法１１００によって説明されるような別のＰＵＣＣＨ  ＲＢ内のＰＵＣＣＨリソースに対応するＣＣＥを使用することである。方法１１００は、ＰＵＣＣＨリソースが、同じＰＤＣＣＨ  ＲＢに対応するＰＤＣＣＨのＣＣＥから導出されることを可能にすることができる。
【００４６】
図１１を参照すると、最初に、第１のＣＣＥ１１０８を第１のＰＵＣＣＨ  ＲＢ１１２０内で選択することができる。第１のＰＵＣＣＨ  ＲＢ１１２０から第２のＣＣＥを選択する代わりに、第１のＣＣＥを第１のＣＣＥ１１０９として再選択することができ、第１のＣＣＥは、第２のＰＵＣＣＨ  ＲＢ１１３０に対応することができる。第２のＣＣＥ１１１２を選択することができ、かつ第２のＣＣＥ１１１２は、第１のＣＣＥ１１０９として同じＰＵＣＣＨ  ＲＢ内に存在することができる。第１のインデックス１１１０および第２のインデックス１１１１は、第１のＣＣＥ１１０９および第２のＣＣＥ１１１２のインデックスから導出することができ、それぞれメッセージの直交拡散に用いられる、拡散論理７０２ａの第１の直交リソース７０５ａおよび拡散論理７０２ｂの第２の直交リソース７０５ｂを選択するために使用することができる。
【００４７】
ＰＤＣＣＨ内のＣＣＥの数が、必要とされる直交リソースの数より少ない数に限定される場合、代替的な方法が必要とされる場合がある。一実施形態において、基地局は、無線デバイスの伝送ダイバーシティをサポートするために必要とされる直交リソースと少なくとも同じ数のＣＣＥを有するＰＤＣＣＨを、無線デバイスに割り当てることができる。
【００４８】
別の実施形態において、ＰＤＣＣＨ集合レベルは、ＰＤＣＣＨの符号化率を下げてＣＣＥの数を増加させることによって、増加することができる。そのような追加のＣＣＥのインデックスは、無線デバイスのための追加の直交リソースを導出するのに使用することができる。
【００４９】
別の実施形態において、基地局は、予約されたＣＣＥを割り付けることができ、そのような予約されたＣＣＥへのアクセスを許可することができる。図１２を参照すると、方法１２００は、ＰＤＣＣＨ２３２上の複数のＣＣＥを示す。基地局は、無線デバイスに追加のＣＣＥ１２０９を提供し、無線デバイスが追加の直交リソースを導出することを可能にして、例えば、伝送ダイバーシティに対して２つのアンテナをサポートするために、ＰＤＣＣＨ集合レベルを増加させることができる。第１のインデックス１２１０および第２のインデックス１２１１は、第１のＣＣＥ１２０８および第２のＣＣＥ１２０９のインデックスから導出することができ、それぞれメッセージの直交拡散に用いられる、拡散論理７０２ａの第１の直交リソース７０５ａおよび拡散論理７０２ｂの第２の直交リソース７０５ｂを選択するのに使用することができる。
【００５０】
別の実施形態において、無線デバイスは、基地局によって無線デバイスに割り当てられたＣＣＥの数と一致するように、直交リソースの数を減少させ、より下位の伝送ダイバーシティにフォールバックし得る。さらに、１つ以上の仮想アンテナに１つ以上の物理アンテナをマップするために、無線デバイスによってアンテナ仮想化を使用することができる。例えば、無線デバイスは、伝送ダイバーシティの４つの物理アンテナを使用することが可能である。しかしながら、基地局は、無線デバイスのＰＤＣＣＨ内に２つのＣＣＥのみを割り付け得る。このシナリオにおいて、無線デバイスは、２つの仮想アンテナに４つの物理アンテナをマップし得る。そのような選択肢において、アンテナ仮想化の使用に起因して、伝送電力の補償が必要とされ得る。補償するために、基地局は、無線デバイスが特定の正または負の増分ずつその伝送電力を変更することを可能にする、伝送電力制御（「ＴＰＣ」）コマンドを無線デバイスに提供し得る。補償の別の方法において、基地局は、構成されたＰＵＣＣＨ伝送スキームごとに、所定の一式のユーザ固有の電力調整を無線デバイスに通信することができる。無線デバイスは、特定の構成されたＰＵＣＣＨ伝送工程と関連付けられた所定の一式のユーザ固有の電力調整を使用して、ＰＵＣＣＨの開ループ伝送電力制御を実施することができる。
【００５１】
別の実施形態において、基地局は、そのサブフレームに対するＰＤＣＣＨ内の未割り当てのＣＣＥの位置を無線デバイスに通信することができる。ＰＤＣＣＨ内のいずれかに位置する空のＣＣＥに対して、基地局は、例えば、別の無線デバイスの共通無線ネットワーク一時識別子（「Ｃ−ＲＮＴＩ」）向けのダウンリンク制御情報（「ＤＣＩ」）、または、ＰＤＣＣＨ内の未割り当てのＣＣＥに関する情報を黙示的または明示的に提供する共通ＳＯＲＴＤ−ＲＮＴＩ向けの共有ＤＣＩを使用し得る。代替的に、ＰＵＣＣＨリソースインデックスを示すように、基地局および無線デバイスによって、ＤＬ許可ＤＣＩ内の追加のフィールドを使用することができる。
【００５２】
ＬＴＥ  Ｒｅｌｅａｓｅ  ８において特定されるものと同じマッピング規則を維持することが必要であり得る一方、ＰＤＣＣＨ内の第１のＣＣＥのインデックスは、ＰＵＣＣＨの第１の直交リソースにマップされる。一実施形態において、ＰＤＣＣＨ内の第１のＣＣＥのインデックスからのオフセットが、追加の直交リソースを導出するのに使用することができる。そのようなオフセットは、固定することができるか、または、例えば、基地局によって動的または静的に無線デバイスに通信することができる。例えば、ＰＤＣＣＨがＰＤＣＣＨの第１のＣＣＥを用いて伝送される場合、基地局は、そのようなＰＤＣＣＨを使用して無線デバイスにオフセットを通信することができる。衝突が発生し得る状況では、衝突が発生し得るその他の無線デバイスを、ＰＤＣＣＨのその次のあり得る開始ＣＣＥに再度割り当て得る。例えば、図１３に図示したような方法１３００は、ＰＤＣＣＨ上の複数のＣＣＥを示す。無線デバイスは、１つのＣＣＥのみを含む、ＰＤＣＣＨの第１のＣＣＥ１３０８が割り当てられる。別の無線デバイスは、ＣＣＥ１３０９が割り当てられる。無線デバイスによって使用されるオフセットが、その他の無線デバイスによって使用されている第２のＣＣＥ１３０９に対応する場合、潜在的な衝突が発生し得る。そのような衝突を回避するため、基地局は、その他の無線デバイスのＣＣＥをＣＣＥ１３０９からＣＣＥ１３１２に移動させることができる。次いで、無線デバイスは、第２のＣＣＥ１３０９を使用することができる。
【００５３】
別の実施形態において、基地局は、永続的ＡＣＫ／ＮＡＫおよびスケジューリング要求指標（「ＳＲＩ」）のために予約された予備ＰＵＣＣＨ空間を送ることができる。ＬＴＥ  Ｒｅｌｅａｓｅ  ８では、予備ＰＵＣＣＨ空間は使用されない場合がある。しかしながら、基地局および無線デバイスは、動的ＡＣＫ／ＮＡＫに対して予約されたＰＵＣＣＨリソースの位置を知り得る。ＬＴＥ  Ｒｅｌｅａｓｅ  １０では、無線デバイスは、２伝送または４伝送ダイバーシティシステムのいずれか一方を適用しながら、ＰＵＣＣＨ上で動的ＡＣＫ／ＮＡＫを送信するための永続的ＡＣＫ／ＮＡＫおよびＳＲＩのための予備空間を使用し得る。基地局は、ＬＴＥ−Ａ対応無線デバイスに動的ＡＣＫ／ＮＡＫ  ＰＵＣＣＨリソースの開始境界を提供することができる。別の実施形態において、この動的ＡＣＫ／ＮＡＫ  ＰＵＣＣＨリソース空間内のＰＵＣＣＨインデックスに、ＰＤＣＣＨ  ＣＣＥインデックスをマッピングするために、同様のマッピングを定義することができる。
【００５４】
別の実施形態において、直交リソースを、直交リソースの１つ以上のサブセットへと組織化することができる。一実施例において、２つのアンテナを使用する無線デバイスは、第１のアンテナのための第１の直交リソースおよび第２のアンテナのための第２の直交リソースを含む、直交リソースのサブセットにアクセスすることができる。ＬＴＥ  Ｒｅｌｅａｓｅ  ８で説明されるものと同じマッピング規則が、直交リソースのサブセットをマップするのに使用され得る一方で、インデックスは、ＰＤＣＣＨの第１のＣＣＥとの一対一マッピングを有し得る。別の実施形態において、直交リソースのサブセットの組織化は、基地局および無線デバイスの両方によって知られている方式を使用して決定され得る。
【００５５】
ＰＵＣＣＨ形式２／２ａ／２ｂおよびＭＩＭＯ、協調マルチポイント（「ＣｏＭＰ」）、ならびに搬送波集合（「ＣＡ」）等の他の通信形式に、上述の実施形態を適用することができることを認識することが重要である。
【００５６】
ＬＴＥ  Ｒｅｌｅａｓｅ  ８において、３つの直交系列が、時間方向範囲に使用することができ、１２個の巡回シフト系列が、周波数方向範囲に使用することができる。全部で、形式１ａおよび１ｂの各ＰＵＣＣＨ  ＲＢにおいて、最大３６個のＰＵＣＣＨ直交リソースがサポートされ得る。ＰＵＣＣＨ直交リソースの限定された数は、ＰＵＣＣＨ  ＲＢ上で多重化される無線デバイスの数を限定し得る。一側面によると、伝送ダイバーシティシステムは、準直交リソースを使用して、図１４に図示したようなシステム１４００等のシステムが利用可能な直交リソースの数を増加させることができる。
【００５７】
図１４において、変調されたメッセージを、複数の拡散論理１４０４ａ、１４０４ｂおよび１４０４ｃに入力することができる。複数の拡散論理１４０４ａ、１４０４ｂおよび１４０４ｃは、直交リソースを取得するために直交リソースプール１４０１に、かつ準直交リソースを取得するために準直交リソースプール１４０２にアクセスすることができる。複数の拡散論理１４０４ａ、１４０４ｂおよび１４０４ｃは、直交リソースプール１４０１の直交リソースおよび準直交リソースプール１４０２の準直交リソースを、あるいは、直交リソースプール１４０１の直交リソースと準直交リソースプール１４０２の準直交リソースとの事前計算または同時生成された組み合わせを、変調されたメッセージに適用することができる。拡散後の変調されたメッセージを、複数のアンテナ１４０５ａ、１４０５ｂおよび１４０５ｃから伝送することができる。準直交リソースプール１４０２の準直交リソースは、当業者には既知の種々のアプローチを使用して生成することができる。
【００５８】
別の実施形態において、直交リソースプール１４０１の直交リソースは、ＬＴＥ  Ｒｅｌｅａｓｅ  ８において特定され得、第１のアンテナ１４０５ａからＰＵＣＣＨを伝送するための直交リソースとして使用することができる。次いで、準直交リソースプール１４０２の準直交リソースは、第２および第３の拡散論理１４０４ｂおよび１４０４ｃによって、それぞれアンテナ１４０５ｂおよび１４０５ｃから伝送される変調されたメッセージに適用され得る。
【００５９】
別の実施形態において、無線デバイスは、ＰＤＣＣＨのＣＣＥの数が、無線デバイスが利用可能な伝送アンテナの数より少ない場合のみ、準直交リソースを使用し得る。
【００６０】
別の実施形態において、無線デバイスは、その伝送アンテナの全てに準直交リソースを排他的に使用し得る。
【００６１】
ＳＯＲＴＤ等の伝送ダイバーシティシステムは、特定の状況において、最適ではなく、適用可能または実現可能ではない場合がある。したがって、特定の状況に応じた複数の伝送ダイバーシティスキームを提供する必要性があり得る。一実施形態において、３つ以上の伝送ダイバーシティモードを、４つのアンテナを有する無線デバイスに使用することができる。例えば、１つ目のモードは、システム７００等、２つのアンテナにＳＯＲＴＤシステムを使用することが可能である。２つ目のモードは、システム７００等、４つのアンテナにＳＯＲＴＤシステムを使用することが可能である。３つ目のモードは、システム６００等、単一アンテナ伝送を使用することが可能である。
【００６２】
別の実施形態において、基地局は、例えば、基地局と無線デバイスとの間の無線通信のサービスの品質（「ＱｏＳ」）、ネットワークリソースの可用性、または他の条件に基づいて、任意の多数の伝送ダイバーシティモードに対して無線デバイスを静的または動的に構成することができる。ＱｏＳ要因は、例えば、ワード誤り率（「ＷＥＲ」）、ビット誤り率（「ＢＥＲ」）、ブロック誤り率（「ＢＬＥＲ」）、信号強度、信号対雑音比（「ＳＮＲ」）、信号対干渉雑音比（「ＳＩＮＲ」）、および他の要因を含み得る。例えば、基地局は、無線デバイスが適切なＱｏＳを有する場合に、システム６００等の単一アンテナ伝送を使用するように、無線デバイスを構成することができる。代替的に、基地局は、無線デバイスがより低いＱｏＳを有する場合、例えば、無線デバイスがセル端にある場合に、伝送ダイバーシティモードで２つ以上のアンテナを使用するように、無線デバイスを構成することができる。
【００６３】
基地局が、無線デバイスに対して伝送ダイバーシティモードを静的または動的に構成するためには、それらの間に明確な信号伝達が必要であり得る。一側面によると、無線通信システムにおける伝送ダイバーシティ構成情報の通信は、図１５に図示したような方法１５００を使用することができる。一実施形態において、方法１５００は、無線デバイス１５０１に対して伝送ダイバーシティモードを構成する際の、基地局１５０２と無線デバイス１５０１との間の通信を図示する。
【００６４】
方法１５００において、無線デバイス１５０１は、最初に、ＰＵＣＣＨに単一アンテナ伝送を使用することができる。単一伝送モードにある間、無線デバイス１５０１は、例えば、１５１０で表されるように、無線デバイス１５０１の伝送ダイバーシティモードを構成するよう基地局１５０２に要求するために、基地局１５０２にＵＬランダムアクセスチャネル（「ＲＡＣＨ」）メッセージを送信することができる。基地局１５０２は、１５１５で表されるように、無線デバイス１５０１によって送信されたＲＡＣＨ１５０５を確認することができる。無線デバイス１５０１は、１５２０で表されるように、基地局１５０２に伝送アンテナの数を送信することができる。これを受けて、基地局１５０２は、１５３０で表されるように、無線デバイス１５０１の伝送ダイバーシティモードを構成するために、上位層のメッセージを送信することができる。無線デバイス１５０１は、１５４０で表されるように、肯定応答メッセージを送信することができる。ここで、無線デバイス１５０１は、その割り当てられた伝送ダイバーシティモードを使用して構成され、１５５０で表されるように、例えば、その構成された伝送ダイバーシティモードを使用してＰＵＣＣＨメッセージを送信することができる。
【００６５】
また、方法１５００を、ＰＵＳＣＨおよびＰＵＣＣＨ形式２／２ａ／２ｂ等の他のチャネル形式に適用することができる。他のチャネル形式は、他の伝送ダイバーシティモードを必要とする場合があることに留意することが重要である。例えば、ＰＵＳＣＨに対する伝送モードは、事前符号化ベースのＳＭモード、ＳＴＢＣベースのモード、単一アンテナ伝送モード、または他の何らかのモードあるいはモードの組み合わせであっ得る。さらに、ＰＵＣＣＨ形式２／２ａ／２ｂに対する伝送モードは、ＳＴＢＣもしくはＳＴＢＣベースのモード、または他の何らかのモードあるいはモードの組み合わせであっ得る。
【００６６】
ＳＯＲＴＤ等の伝送ダイバーシティに対する追加の直交リソースでは、直交リソースの割当を、上位層信号伝達を使用して通信することができる。ＬＴＥ  Ｒｅｌｅａｓｅ  ８において、半永続的スケジューリング（「ＳＰＳ」）伝送に対するＰＵＣＣＨ形式１およびＰＵＣＣＨ形式１ａ／１ｂでは、直交リソースは、上位層信号伝達を使用して割り当てられ得る。一実施形態において、ＤＣＩ形式が、半永続的ＤＬスケジューリング起動を示す場合、方法１６００によって定義される直交リソースマッピングで、４つのＰＵＣＣＨリソースインデックスのうちの１つにインデックス提供するように、上位層によってＰＵＣＣＨフィールドに対するＴＰＣコマンドを使用することができる。さらに、ＰＵＣＣＨフィールドに対するＴＰＣコマンドは、方法１７００によって定義される直交リソースマッピングで、ＰＵＣＣＨの多次元直交リソースにマップすることができる。図１６において、方法１６００は、無線デバイスが１つのアンテナを使用する場合の、ＰＵＣＣＨの直交リソースのマッピングを示す。図１７において、方法１７００は、例えば、ＳＯＲＴＤモードで、無線デバイスが２つのアンテナを使用する場合の、ＰＵＣＣＨの直交リソースのマッピングを示す。
【００６７】
別の実施形態において、無線デバイスの第１のアンテナに対するＰＵＣＣＨリソースを導出するように、ＰＵＣＣＨフィールドに対するＴＰＣコマンドが使用された後、固定のまたは構成可能なオフセット等の事前構成された式またはマッピングテーブルを、残りのアンテナに対して、ＰＵＣＣＨリソースを導出するために使用することができる。
【００６８】
前述のように、無線通信システムにおける無線デバイス間の伝送衝突の数を減少させることが所望される。伝送衝突の可能性は、無線デバイスによって使用されている伝送ダイバーシティモードに依存する。基地局は、基地局によって制御される無線デバイス間のＰＵＣＣＨリソースの割付を制御することができるので、基地局は、伝送衝突の確率を軽減するように、ＰＵＣＣＨリソースのスケジューリングおよび割付を管理することができる。基地局は、ＰＵＣＣＨリソースのスケジューリングおよび割付を管理するために、多数の基準を使用することができる。例えば、基地局は、ＰＵＣＣＨリソース衝突の数、１つのＰＵＣＣＨリソースのみを使用する無線デバイスに対するＰＵＣＣＨリソース衝突の数、複数のＰＵＣＣＨリソースを使用する無線デバイスに対するＰＵＣＣＨリソース衝突の数に関連付けられた基準を使用することができる。これらの基準に基づいて、基地局は、例えば、１つのＰＵＣＣＨリソースを使用する無線デバイスに対して衝突の可能性を排除し、２つのＰＵＣＣＨリソースを使用する無線モバイルに対して、衝突の可能性を１以下の衝突まで減少させ、４つのＰＵＣＣＨリソースを使用する無線モバイルに対して、衝突の可能性を２以下の衝突まで減少させるように、あるいは他の要件またはそれらの任意の組み合わせのために、そのシステムパラメータを構成し得る。
【００６９】
別の実施形態において、ダウンリンクメッセージは、例えば、物理ダウンリンク制御チャネルメッセージであることができる。
【００７０】
別の実施形態において、第２の制御チャネル要素は、例えば、第１の制御チャネル要素に隣接し、連続することができる。
【００７１】
別の実施形態において、第２の制御チャネル要素は、例えば、第１の制御チャネル要素からの固定スパンであることができる。
【００７２】
別の実施形態において、第２の制御チャネル要素は、例えば、第１の制御チャネル要素に対して、ダウンリンクメッセージの最後の制御チャネル要素であることができる。
【００７３】
別の実施形態において、第２の制御チャネル要素は、例えば、
【００７４】
【化３】
2013502853.tif 000005
を満たすことができ、ｍは、第２の制御チャネル要素のインデックスであり、Ｍは、ダウンリンクメッセージ内の制御チャネル要素の数であり、Ｎは、必要とされる直交リソースの数である。
【００７５】
別の実施形態において、複数のインデックスを、例えば、ダウンリンクメッセージの複数のＣＣＥを使用することによって、ダウンリンクメッセージを使用して決定することができ、複数のインデックスのぞれぞれは、隣接し、連続したＣＣＥの位置を使用して選択される。
【００７６】
別の実施形態において、複数のインデックスを、例えば、ダウンリンクメッセージの複数のＣＣＥを使用することによって、ダウンリンクメッセージを使用して決定することができ、複数のインデックスのぞれぞれは、固定スパンによって分離されたＣＣＥの位置を使用して選択される。
【００７７】
別の実施形態において、複数のインデックスを、例えば、ダウンリンクメッセージの複数のＣＣＥを使用することによって、ダウンリンクメッセージを使用して決定することができ、複数のインデックスのそれぞれは、
【００７８】
【化４】
2013502853.tif 000006
を満たすＣＣＥの位置を使用して選択され、ｍは、複数のＣＣＥのそれぞれのインデックスであり、Ｍは、ダウンリンクメッセージ内のＣＣＥの数であり、Ｎは、必要とされる直交リソースの数である。
【００７９】
別の実施形態において、複数の直交信号は、例えば、複数の直交リソースを使用して複数の第１の拡散系列を決定することと、複数の第１の拡散系列をアップリンクメッセージに適用することによって複数の第１の拡散系列信号を生成することと、複数の直交リソースを使用して複数の第２の拡散系列を決定することと、複数の第２の拡散系列を複数の第１の拡散系列信号に適用することとによって複数の直交信号を生成すること、によって生成することができる。
【００８０】
別の実施形態において、複数の直交信号は、例えば、複数の直交リソースを使用して複数の第１の拡散系列を決定することと、複数の直交リソースを使用して複数の第２の拡散系列を決定することと、複数の第１の拡散系列を複数の第２の拡散系列に適用することによって複数の組み合わされた拡散系列を生成することと、複数の組み合わされた拡散系列をアップリンクメッセージに適用することとによって複数の直交信号を生成すること、によって生成することができる。
【００８１】
例示的な実施形態を示し、説明したが、本明細書で説明される方法、デバイス、およびシステムのさらなる適応が、本開示の範囲から逸脱することなく、当業者によって適切な修正により達成され得る。  そのような潜在的な修正のうちのいくつかが記述されており、その他は、当業者にとって明白となるであろう。例えば、上で論議されるような模範、実施形態、および同等物は、例証的であり、必須ではない。したがって、本開示の範囲は、以下の請求項に関して考慮されるべきであり、本明細書および図面で示され、説明される、構造、動作、および機能の詳細に限定されないと理解される。
【００８２】
上記で説明されるように、説明された開示は、以下で説明される側面を含む。
【図１】
2013502853.tif 000007
【図２】
2013502853.tif 000008
【図３】
2013502853.tif 000009
【図４】
2013502853.tif 000010
【図５】
2013502853.tif 000011
【図６】
2013502853.tif 000012
【図７】
2013502853.tif 000013
【図８】
2013502853.tif 000014
【図９】
2013502853.tif 000015
【図１０】
2013502853.tif 000016
【図１１】
2013502853.tif 000017
【図１２】
2013502853.tif 000018
【図１３】
2013502853.tif 000019
【図１４】
2013502853.tif 000020
【図１５】
2013502853.tif 000021
【図１６】
2013502853.tif 000022
【図１７】
2013502853.tif 000023
【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
無線通信システムにおいてユーザ機器を動作させる方法であって、前記方法は、
ダウンリンクメッセージを受信することであって、前記ダウンリンクメッセージは、第１の制御チャネル要素を含む、ことと、
前記第１の制御チャネル要素の位置を使用して第１のインデックスを決定することと、
第２のインデックスを決定することと、
前記第１のインデックスを使用して第１の直交リソースを決定することと、
前記第２のインデックスを使用して第２の直交リソースを決定することと、
第１の拡散信号を形成するために、前記第１の直交リソースを使用してアップリンクメッセージを拡散することと、
第２の拡散信号を形成するために、前記第２の直交リソースを使用して前記アップリンクメッセージを拡散することと、
第１のアンテナを使用して前記第１の拡散信号を伝送することと、
第２のアンテナを使用して前記第２の拡散信号を伝送することと
を含む、方法。
【請求項２】
前記第２のインデックスを決定することは、前記ダウンリンクメッセージの第２の制御チャネル要素の位置を使用する、請求項１に記載の方法。
【請求項３】
前記第２のインデックスを決定することは、別のダウンリンクメッセージから前記第２のインデックスを取得することをさらに含む、請求項１に記載の方法。
【請求項４】
前記第２のインデックスを決定することは、前記第１の制御チャネル要素の位置を使用する、請求項１に記載の方法。
【請求項５】
前記第２のインデックスを決定することは、前記第１のインデックスを使用する、請求項１に記載の方法。
【請求項６】
無線通信システムにおいてユーザ機器を動作させる方法であって、前記方法は、
無線デバイスによって基地局からダウンリンクメッセージを受信することと、
前記ダウンリンクメッセージを使用して複数のインデックスを決定することと、
前記複数のインデックスを使用して複数の直交リソースを決定することと、
前記複数の直交リソースをアップリンクメッセージに適用することによって、複数の直交信号を生成することと、
前記無線デバイスから前記基地局に前記複数の直交信号を伝送することと
を含む、方法。
【請求項７】
前記無線デバイスから前記基地局に前記複数の直交信号を伝送することは、前記複数の直交信号を伝送するために、前記無線デバイスの複数のアンテナを使用することをさらに含む、請求項６に記載の方法。
【請求項８】
前記ダウンリンクメッセージを使用して複数のインデックスを決定することは、
複数の制御チャネル要素のうちの第１の制御チャネル要素の位置を使用して前記複数のインデックスのうちの第１のインデックスを決定することであって、前記ダウンリンクメッセージは、前記複数の制御チャネル要素を含む、ことと、
別のダウンリンクメッセージを使用して前記複数のインデックスのうちのその他のインデックスを決定することと
をさらに含む、請求項６に記載の方法。
【請求項９】
前記ダウンリンクメッセージを使用して複数のインデックスを決定することは、
複数の制御チャネル要素のうちの第１の制御チャネル要素の位置を使用して前記複数のインデックスのうちの第１のインデックスを決定することであって、前記ダウンリンクメッセージは、前記複数の制御チャネル要素を含む、ことと、
前記複数の制御チャネル要素のうちの前記第１の制御チャネル要素の位置を使用して前記複数のインデックスのうちのその他のインデックスを決定することと
をさらに含む、請求項６に記載の方法。
【請求項１０】
前記ダウンリンクメッセージを使用して複数のインデックスを決定することは、
複数の制御チャネル要素のうちの第１の制御チャネル要素の位置を使用して前記複数のインデックスのうちの第１のインデックスを決定することであって、前記ダウンリンクメッセージは、前記複数の制御チャネル要素を含む、ことと、
前記複数のインデックスのうちの前記第１のインデックスを使用して前記複数のインデックスのうちのその他のインデックスを決定することと
をさらに含む、請求項６に記載の方法。
【請求項１１】
無線通信システムにおけるユーザ機器を構成する方法であって、前記方法は、
単一アンテナ伝送モードを使用して無線デバイスから基地局に第１のアップリンクメッセージを送信することであって、前記第１のアップリンクメッセージは、前記無線デバイスの伝送ダイバーシティモードを構成する要求を含む、ことと、
前記無線デバイスによって前記基地局からダウンリンクメッセージを受信することであって、前記ダウンリンクメッセージは、前記無線デバイスに対する伝送ダイバーシティモードを含む、ことと、
前記伝送ダイバーシティモードを使用して前記無線デバイスから前記基地局に第２のアップリンクメッセージを送信することと
を含む、方法。
【請求項１２】
前記単一アンテナ伝送モードを使用して前記無線デバイスから前記基地局に別のアップリンクメッセージを送信することをさらに含み、前記他のアップリンクメッセージは、前記無線デバイスの伝送アンテナの数を含む、請求項１１に記載の方法。
【請求項１３】
前記第１のアップリンクメッセージは、前記無線デバイスの伝送アンテナの数を含む、請求項１１に記載の方法。
【請求項１４】
前記無線デバイスによって前記基地局から別のダウンリンクメッセージを受信することをさらに含み、前記他のダウンリンクメッセージは、前記基地局による前記第１のアップリンクメッセージの受信の肯定応答を含む、請求項１１に記載の方法。
【請求項１５】
無線通信システムにおけるデバイスであって、
プロセッサ実行可能命令を含むメモリに連結されたプロセッサと、
前記プロセッサに連結された受信機および伝送機と
を備え、
前記受信機は、基地局からダウンリンクメッセージを受信するよう動作可能であり、
前記プロセッサは、
前記ダウンリンクメッセージの第１の制御チャネル要素の位置を使用して第１のインデックスを導出することと、
第２のインデックスを導出することと、
前記第１のインデックスを使用して第１の直交リソースを決定することと、
前記第２のインデックスを使用して第２の直交リソースを決定することと、
前記第１の直交リソースをアップリンクメッセージに適用することによって、第１の直交信号を生成することと、
前記第２の直交リソースを前記アップリンクメッセージに適用することによって、第２の直交信号を生成することと
を行うよう動作可能であり、
前記伝送機は、前記第１および第２の直交信号を前記基地局に伝送するよう動作可能である、
デバイス。
【請求項１６】
前記プロセッサは、前記ダウンリンクメッセージの第２の制御チャネル要素の位置を使用して前記第２のインデックスを導出するようさらに動作可能である、請求項１５に記載のデバイス。
【請求項１７】
前記プロセッサは、前記基地局から送信される別のダウンリンクメッセージを使用して前記第２のインデックスを取得することによって、前記第２のインデックスを導出するようさらに動作可能である、請求項１５に記載のデバイス。
【請求項１８】
前記プロセッサは、前記第１の制御チャネル要素の位置を使用して前記第２のインデックスを導出するようさらに動作可能である、請求項１５に記載のデバイス。
【請求項１９】
前記プロセッサは、前記第１のインデックスを使用して前記第２のインデックスを導出するようさらに動作可能である、請求項１５に記載のデバイス。
【請求項２０】
前記伝送機は、第１のアンテナを使用して前記第１の直交信号を伝送し、第２のアンテナを使用して前記第２の直交信号を伝送するようさらに動作可能である、請求項１５に記載のデバイス。
【手続補正２】
【補正対象書類名】明細書
【補正対象項目名】００１１
【補正方法】変更
【補正の内容】
【００１１】
無線通信システムに使用される無線デバイスはまた、移動局（「ＭＳ」）、端末、携帯電話、携帯ハンドセット、携帯情報端末（「ＰＤＡ」）、スマートフォン、手持ち式コンピュータ、デスクトップコンピュータ、ラップトップコンピュータ、タブレットコンピュータ、セットトップボックス、テレビ、無線機器、または何らかの他の同等の用語と呼ばれ得る。無線デバイスはまた、基地局と通信するように、１つ以上のＲＦ伝送機および受信機、ならびに１つ以上のアンテナを含み得る。さらに、無線デバイスは、固定されるか、または移動式であり得、無線通信システムを通して移動する能力を有し得る。ＬＴＥおよびＬＴＥ−Ａ機器では、無線デバイスはまた、ユーザ機器（「ＵＥ」）と呼ばれる。
本発明はさらに、例えば、以下を提供する。
（項目１）
無線通信システムにおいて情報を伝送する方法であって、
ダウンリンクメッセージを受信することであって、前記ダウンリンクメッセージは、第１の制御チャネル要素を含む、ことと、
前記第１の制御チャネル要素の位置を使用して第１のインデックスを決定することと、
第２のインデックスを決定することと、
前記第１のインデックスを使用して第１の直交リソースを決定することと、
前記第２のインデックスを使用して第２の直交リソースを決定することと、
第１の拡散信号を形成するために、前記第１の直交リソースを使用してアップリンクメッセージを拡散することと、
第２の拡散信号を形成するために、前記第２の直交リソースを使用して前記アップリンクメッセージを拡散することと、
第１のアンテナを使用して前記第１の拡散信号を伝送することと、
第２のアンテナを使用して前記第２の拡散信号を伝送することと
を含む、方法。
（項目２）
前記第２のインデックスを決定することは、前記ダウンリンクメッセージの第２の制御チャネル要素の位置を使用する、項目１に記載の方法。
（項目３）
前記第２のインデックスを決定することは、別のダウンリンクメッセージから前記第２のインデックスを取得することをさらに含む、項目１に記載の方法。
（項目４）
前記第２のインデックスを決定することは、前記第１の制御チャネル要素の位置を使用する、項目１に記載の方法。
（項目５）
前記第２のインデックスを決定することは、前記第１のインデックスを使用する、項目１に記載の方法。
（項目６）
無線通信システムにおいて情報を伝送する方法であって、
無線デバイスによって基地局からダウンリンクメッセージを受信することと、
前記ダウンリンクメッセージを使用して複数のインデックスを決定することと、
前記複数のインデックスを使用して複数の直交リソースを決定することと、
前記複数の直交リソースをアップリンクメッセージに適用することによって、複数の直交信号を生成することと、
前記無線デバイスから前記基地局に前記複数の直交信号を伝送することと
を含む、方法。
（項目７）
前記無線デバイスから前記基地局に前記複数の直交信号を伝送することは、前記複数の直交信号を伝送するために、前記無線デバイスの複数のアンテナを使用することをさらに含む、項目６に記載の方法。
（項目８）
前記ダウンリンクメッセージを使用して複数のインデックスを決定することは、
複数の制御チャネル要素のうちの第１の制御チャネル要素の位置を使用して前記複数のインデックスのうちの第１のインデックスを決定することであって、前記ダウンリンクメッセージは、前記複数の制御チャネル要素を含む、ことと、
別のダウンリンクメッセージを使用して前記複数のインデックスのうちのその他のインデックスを決定することと
をさらに含む、項目６に記載の方法。
（項目９）
前記ダウンリンクメッセージを使用して複数のインデックスを決定することは、
複数の制御チャネル要素のうちの第１の制御チャネル要素の位置を使用して前記複数のインデックスのうちの第１のインデックスを決定することであって、前記ダウンリンクメッセージは、前記複数の制御チャネル要素を含む、ことと、
前記複数の制御チャネル要素のうちの前記第１の制御チャネル要素の位置を使用して前記複数のインデックスのうちのその他のインデックスを決定することと
をさらに含む、項目６に記載の方法。
（項目１０）
前記ダウンリンクメッセージを使用して複数のインデックスを決定することは、
複数の制御チャネル要素のうちの第１の制御チャネル要素の位置を使用して前記複数のインデックスのうちの第１のインデックスを決定することであって、前記ダウンリンクメッセージは、前記複数の制御チャネル要素を含む、ことと、
前記複数のインデックスのうちの前記第１のインデックスを使用して前記複数のインデックスのうちのその他のインデックスを決定することと
をさらに含む、項目６に記載の方法。
（項目１１）
無線通信システムにおける情報の伝送を構成する方法であって、
単一アンテナ伝送モードを使用して無線デバイスから基地局に第１のアップリンクメッセージを送信することであって、前記第１のアップリンクメッセージは、前記無線デバイスの伝送ダイバーシティモードを構成する要求を含む、ことと、
前記無線デバイスによって前記基地局からダウンリンクメッセージを受信することであって、前記ダウンリンクメッセージは、前記無線デバイスに対する伝送ダイバーシティモードを含む、ことと、
前記伝送ダイバーシティモードを使用して前記無線デバイスから前記基地局に第２のアップリンクメッセージを送信することと
を含む、方法。
（項目１２）
前記単一アンテナ伝送モードを使用して前記無線デバイスから前記基地局に別のアップリンクメッセージを送信することをさらに含み、前記他のアップリンクメッセージは、前記無線デバイスの伝送アンテナの数を含む、項目１１に記載の方法。
（項目１３）
前記第１のアップリンクメッセージは、前記無線デバイスの伝送アンテナの数を含む、項目１１に記載の方法。
（項目１４）
前記無線デバイスによって前記基地局から別のダウンリンクメッセージを受信することをさらに含み、前記他のダウンリンクメッセージは、前記基地局による前記第１のアップリンクメッセージの受信の肯定応答を含む、項目１１に記載の方法。
（項目１５）
無線通信システムにおけるデバイスであって、
プロセッサ実行可能命令を含むメモリに連結されたプロセッサと、
前記プロセッサに連結された受信機および伝送機と
を備え、
前記受信機は、基地局からダウンリンクメッセージを受信するよう動作可能であり、
前記プロセッサは、
前記ダウンリンクメッセージの第１の制御チャネル要素の位置を使用して第１のインデックスを導出することと、
第２のインデックスを導出することと、
前記第１のインデックスを使用して第１の直交リソースを決定することと、
前記第２のインデックスを使用して第２の直交リソースを決定することと、
前記第１の直交リソースをアップリンクメッセージに適用することによって、第１の直交信号を生成することと、
前記第２の直交リソースを前記アップリンクメッセージに適用することによって、第２の直交信号を生成することと
を行うよう動作可能であり、
前記伝送機は、前記第１および第２の直交信号を前記基地局に伝送するよう動作可能である、
デバイス。
（項目１６）
前記プロセッサは、前記ダウンリンクメッセージの第２の制御チャネル要素の位置を使用して前記第２のインデックスを導出するようさらに動作可能である、項目１５に記載のデバイス。
（項目１７）
前記プロセッサは、前記基地局から送信される別のダウンリンクメッセージを使用して前記第２のインデックスを取得することによって、前記第２のインデックスを導出するようさらに動作可能である、項目１５に記載のデバイス。
（項目１８）
前記プロセッサは、前記第１の制御チャネル要素の位置を使用して前記第２のインデックスを導出するようさらに動作可能である、項目１５に記載のデバイス。
（項目１９）
前記プロセッサは、前記第１のインデックスを使用して前記第２のインデックスを導出するようさらに動作可能である、項目１５に記載のデバイス。
（項目２０）
前記伝送機は、第１のアンテナを使用して前記第１の直交信号を伝送し、第２のアンテナを使用して前記第２の直交信号を伝送するようさらに動作可能である、項目１５に記載のデバイス。
（項目２１）
無線通信のシステムであって、
基地局と、
前記基地局に通信可能に連接された無線デバイスと
を備え、
前記無線デバイスは、
前記基地局からダウンリンクメッセージを受信することと、
前記ダウンリンクメッセージの第１の制御チャネル要素を使用して第１のインデックスを導出することと、
第２のインデックスを導出することと、
前記第１のインデックスを使用して第１の直交リソースを決定することと、
前記第２のインデックスを使用して第２の直交リソースを決定することと、
前記第１の直交リソースをアップリンクメッセージに適用することによって、第１の直交信号を生成することと、
前記第２の直交リソースを前記アップリンクメッセージに適用することによって、第２の直交信号を生成することと、
第１のアンテナから前記基地局に前記第１の直交信号を伝送することと、
第２のアンテナから前記基地局に前記第２の直交信号を伝送することと
を行う、
システム。
（項目２２）
前記ダウンリンクメッセージの制御チャネル要素の数は、前記無線デバイスに割り当てられる直交リソースの数以上である、項目２１に記載のシステム。
（項目２３）
前記基地局は、前記無線デバイスに割り当てられる直交リソースの数と一致するように、前記ダウンリンクメッセージの制御チャネル要素の数を変更する、項目２１に記載のシステム。
（項目２４）
前記基地局は、前記無線デバイスに割り当てられる直交リソースの数と一致するように、前記ダウンリンクメッセージの予約された制御チャネル要素を割り付ける、項目２１に記載のシステム。
（項目２５）
前記無線デバイスは、前記ダウンリンクメッセージの第２の制御チャネル要素を使用して前記第２のインデックスを導出する、項目２１に記載のシステム。
（項目２６）
前記無線デバイスは、前記基地局から前記無線デバイスに送信される別のダウンリンクメッセージを使用して前記第２のインデックスを導出する、項目２１に記載のシステム。
（項目２７）
前記無線デバイスは、前記基地局によって割り当てられる前記ダウンリンクメッセージの制御チャネル要素の数と一致するように、直交リソースの数を変更する、項目２１に記載のシステム。
（項目２８）
前記無線デバイスは、前記基地局によって割り当てられる前記ダウンリンクメッセージの制御チャネル要素の数と一致するように、前記無線デバイスの伝送ダイバーシティモードを変更する、項目２１に記載のシステム。
（項目２９）
前記基地局は、前記ダウンリンクメッセージの前記第１の制御チャネル要素から前記ダウンリンクメッセージの第２の制御チャネル要素へのオフセットを前記無線デバイスに割り当て、
前記ダウンリンクメッセージは、物理ダウンリンク制御チャネルメッセージであり、
前記第２の制御チャネル要素の選択は、同じ物理アップリンク制御チャネルリソースブロック内で伝送される物理アップリンク制御チャネルリソースに対応する前記ダウンリンクメッセージのそれらの制御チャネル要素に限定される、
項目２１に記載のシステム。
（項目３０）
前記無線デバイスは、前記第１のインデックスを使用して前記第２のインデックスを導出する、項目２１に記載のシステム。
【国際調査報告】
2013502853.tif 000024
2013502853.tif 000025